(57)【要約】【課題】家具に傷を付けることなくこれを確実に固定して地震による家具の転倒を効果的に防止できる。【解決手段】  アーム部材２は下方へ開放するＵ字断面に成形され、その基端部２１が家屋の柱に固定された支持部材３に支持されて先端方向へ下り傾斜姿勢で設けられている。アーム部材２の先端部２３の内空間には移動片４が収納されて、当該移動片４の頂面が、傾斜するアーム部材２の頂壁内面をガイド面２ａとしてこれに当接するとともに、移動片４の下端が上記内空間から下方へ突出し、アーム部材２には移動片４の脱落を防止してその移動を保証するリベットピン２３１を設ける。移動片４はアーム部材２の先端方向ないし基端方向へ移動可能で当該移動に伴ってガイド面２ａに沿って下降ないし上昇する。【選択図】        図１
2007044110.tif 000002
【特許請求の範囲】
【請求項１】
基端部が家屋の壁面側に固定され先端部が家具の高さよりもやや高く位置させられるアーム部材と、アーム部材の先端部に形成されて先端方向へ下り傾斜するガイド面と、前記アーム部材の先端部に、当該アーム部材の先端方向ないし基端方向へ移動可能で当該移動に伴って前記ガイド面に沿って下降ないし上昇する移動片とを具備する家具の転倒防止具。  
【請求項２】
家屋の壁面側に固定されて、前記アーム部材を水平面内で旋回可能とすべくその基端部を支持する支持部材をさらに設けた請求項１に記載の家具の転倒防止具。
【請求項３】
前記アーム部材は下方へ開放するＵ字断面に成形されてその基端部が支持部材に支持されて先端方向へ下り傾斜姿勢で設けられ、前記アーム部材の先端部の内空間に前記移動片が収納されて、当該移動片の頂面が、傾斜するアーム部材の頂壁内面を前記ガイド面としてこれに当接するとともに、移動片の下端が前記内空間から下方へ突出し、かつアーム部材には前記移動片の脱落を防止してその移動を保証するガイド部材を設けた請求項２に記載の家具の転倒防止具。
【請求項４】
基端部が家屋の壁面側に固定され先端部が家具の高さよりもやや高く位置させられるアーム部材と、アーム部材の先端部に装着された移動片と、当該移動片に形成されて前記アーム部材の先端方向へ下り傾斜しかつアーム部材の一部に当接して、アーム部材の先端方向ないし基端方向への前記移動片の移動に伴いこれを下降方向ないし上昇方向へ案内するガイド面とを具備する家具の転倒防止具。
【発明の詳細な説明】
【技術分野】
【０００１】
本発明は家具の転倒防止具に関し、特に、壁際に置かれる箪笥等の家具が地震により転倒するのを防止する転倒防止具に関する。
【背景技術】
【０００２】
この種の転倒防止具としては例えば特許文献１に記載されたものがある。本文献記載の転倒防止具は、垂直支持片を壁に固定するとともに水平支持片を箪笥の頂面に固定し、傾斜連結杆の一端を上記垂直支持片に昇降自在に連結する一方、他端を上記水平支持片に前後方向進退自在に連結したものである。
【特許文献１】実用新案登録第３０１９６５５号
【発明の開示】
【発明が解決しようとする課題】
【０００３】
しかし、上記従来の転倒防止具では、水平支持片を家具の頂面にビス止めによって固定しているために家具に傷が付くことが避けられないという問題があった。
【０００４】
そこで、本発明はこのような課題を解決するもので、家具に傷を付けることなくこれを確実に固定して地震による家具の転倒を効果的に防止できる家具の転倒防止具を提供することを目的とする。
【課題を解決するための手段】
【０００５】
上記目的を達成するために、本第１発明では、基端部（２１）が家屋の壁面側に固定され先端部（２３）が家具の高さよりもやや高く位置させられるアーム部材（２）と、アーム部材（２）の先端部（２３）に形成されて先端方向へ下り傾斜するガイド面（２ａ）と、アーム部材（２）の先端部（２３）に、アーム部材の先端方向ないし基端方向へ移動可能で当該移動に伴ってガイド面（２ａ）に沿って下降ないし上昇する移動片（４）とを具備している。
【０００６】
本第１発明において、先端が家具の高さよりもやや高くなるように位置させたアーム部材の、先端部に装着された移動片を先端方向へ移動させると、当該移動片は下方へ移動して家具の頂面に接する。この状態で地震の振動によって家具が家屋の壁面から離れて倒れようとすると、家具の頂面に接する移動片はさらにアーム部材の先端方向へ移動させられるから、これに伴って移動片はガイド面の傾斜に従ってさらに下降させられて、家具の頂面に圧接し、家具を上方から抑える。これによって、家具の転倒が防止される。家具のメンテナンスや家具が置かれた床の掃除等が必要な場合には、移動片をアーム部材の基端方向へ移動させるとこれが上昇して家具の頂面から離れるから、家具の移動を容易に行うことができる。このように、本第1発明においては、転倒防止具を設置する際にはアーム部材先端の移動片を家具の頂面に軽く当接させておけば良く、家具にビス等で固定しておく必要がないから、家具が傷付くという問題がない。また、メンテナンス時等に家具を移動させることも容易である。
【０００７】
本第２発明では、家屋の壁面側に固定されて、上記アーム部材（２）を水平面内で旋回可能とすべくその基端部（２１）を支持する支持部材（３）をさらに設ける。
【０００８】
本第２発明においては、アーム部材を旋回させることで家具頂面の側縁に沿った位置にアーム部材を容易に位置決めすることができるとともに、家具のメンテナンス時等にはアーム部材を家具上から離間するように退避旋回させておけば、家具の移動を容易に行うことができる。
【０００９】
本第３発明では、上記アーム部材（２）は下方へ開放するＵ字断面に成形されてその基端部（２１）が支持部材（３）に支持されて先端方向へ下り傾斜姿勢で設けられ、アーム部材（２）の先端部（２３）の内空間に移動片（４）が収納されて、当該移動片（４）の頂面が、傾斜するアーム部材（２）の頂壁内面を上記ガイド面（２ａ）としてこれに当接するとともに、移動片（４）の下端が上記内空間から下方へ突出し、かつアーム部材（２）には移動片（４）の脱落を防止してその移動を保証するガイド部材（２３１）を設ける。本第３発明のよれば本第１発明を構造簡易に実現することができる。
【００１０】
本第４発明では、基端部が家屋の壁面側に固定され先端部が家具の高さよりもやや高く位置させられるアーム部材と、アーム部材の先端部に装着された移動片と、当該移動片に形成されて前記アーム部材の先端方向へ下り傾斜しかつアーム部材の一部に当接して、アーム部材の先端方向ないし基端方向への前記移動片の移動に伴いこれを下降方向ないし上昇方向へ案内するガイド面とを具備している。本第４発明においても本第１発明と同様の作用効果が得られる。
【発明の効果】
【００１１】
以上のように、本発明の家具の転倒防止具によれば、家具に傷を付けることなくこれを確実に固定して地震による家具の転倒を効果的に防止することができる。
【発明を実施するための最良の形態】
【００１２】
図１には転倒防止具の全体側面図を示し、図２にはその全体平面図を示す。また、図３には図１のIII−III線に沿った断面図を示す。転倒防止具１はアーム部材２を備えており、当該アーム部材２は金属の長板材を下方へ開くＵ字断面に成形したものである（図３参照）。アーム部材２は斜め下方へ一定幅で延びており、その基端部（上端部）は起立する円筒形に成形されて保持部２１となっている。この保持部２１内には円柱形のゴムブッシュ２２が嵌着してあり、ゴムブッシュ２２には中心に上下方向へ貫通孔２２１が形成されている。また、アーム部材２の先端部（下端部）２３は水平線で切り取られて、側面視（図１）で先細りの三角形状となっており、先端部２３には左右の側壁を貫通してリベットピン２３１（図３）が設けてある。
【００１３】
アーム部材２を柱に支持させるための金属製の支持部材３が設けられ、当該支持部材３は上下方向へ延びる板状の基部３１と、基部３１の板面上下位置から水平に突出する一対の支持部３２とを備えている。各支持部３２は先端部を円弧形に成形した（図２）板状のもので板面には貫通孔３２１（図１）が形成されている。アーム部材２はその筒状保持部２１が上記支持部材３の上下の支持部３２間に挿置されて、ゴムブッシュ２２の貫通孔２２１を支持部３２の貫通孔３２１に一致させ、これら貫通孔２２１，３２１に上方からピン部材３３が挿入してある。
【００１４】
支持部材３の基部３１の背面には中央に、略９０度の開き角のＶ溝３１１（図２）が上下方向へ形成され、また、基部３１の上下端部にはこれを水平に貫通してＶ溝３１１に至る取付孔３１２が設けられている。なお、Ｖ溝３１１の両側縁部は内側半部３１３が一定幅の平面に成形され、外側半部３１４が傾斜面に成形されている。両側縁部の外側半部３１４は互いに略９０度の角度をなして傾斜している。以上の構造によって、後述のように支持部材３１を垂直の柱に取り付けた状態で、アーム部材２はその傾斜姿勢を保ちつつ水平面内で旋回自在である。
【００１５】
アーム部材２の先端部２３内空間には移動片４が収納されている。移動片４は金属板材を逆Ｔ字断面に屈曲成形したもので（図３）、中央の立壁部４１と両側の平板部４２を備えている。立壁部４１はその高さがアーム部材２の先端方向へ漸次低くなって（図１）楔形状となっており、移動片４は立壁部４１がアーム部材２の内空間に進入して、その頂面がアーム部材２の傾斜する頂壁内面（ガイド面）２ａに接して位置している。移動片４の立壁部４１にはアーム部材２の頂壁に沿って平行に延びる長穴状のガイド穴４１１が形成されて、当該ガイド穴４１１内を上記リベットピン２３１が貫通している。これにより、移動片４はアーム部材２の内空間から脱落することなくガイド面２ａに沿った移動が保証される。移動片４の平板部４２は平面視で略長方形をなし（図２）、長手方向の二箇所に取付穴４２１が設けられている。また、移動片４の下面には全面に粘着性のあるニトリルゴム等のゴム板４３が接合されている（図３）。
【００１６】
このような転倒防止具１を使用する場合には、図４に示すように家屋の壁面Ｗ１，Ｗ２コーナ部に露出する柱Ｐに対してその角に支持部材３の基部背面のＶ溝３１１を合致させて、基部３１の取付孔３１２（図２参照）内にコーチボルト５１を挿入し柱Ｐに捩じ込み固定する。なお、壁面Ｗ１，Ｗ２のコーナ部に柱Ｐが露出していない場合には、支持部材３のＶ溝３１１両側縁部の外側半部３１４をコーナ部の各壁面Ｗ１，Ｗ２に当接させて、基部３１の取付孔３１２内にコーチボルト５１を挿入し柱Ｐに捩じ込み固定する。また、壁面Ｗ１，Ｗ２のコーナ部以外では、図５に示すように、柱Ｐが壁面Ｗ３，Ｗ４から露出している場合には当該柱Ｐの側面に対して、また柱Ｐが壁面の背後に位置し露出していない場合には当該壁面に対して、支持部材３のＶ溝両側縁部の内側半部３１３の平面を当接させて、基部３１の取付孔３１２内にコーチボルト５１を挿入し柱Ｐに捩じ込み固定する。
【００１７】
支持部材３を柱Ｐに固定する際には、転倒防止具１（図６）のアーム部材２の先端が家具Ｆの高さよりもやや高くなるようにしておく。そして、アーム部材２を適当に旋回させて、これを図６に示すように家具Ｆの頂面Ｆ１の側縁に沿って位置させる。なお、図６は家具Ｆに対して左右一対の転倒防止具１を使用した例を示す。この後、アーム部材２先端の移動片４を図１の鎖線で示すようにアーム先端方向へ移動させる。この移動に伴って移動片４はガイド面２ａの傾斜に従って下降して、その下面のゴム板４３が家具Ｆの頂面Ｆ１に接する。この状態で地震の振動によって家具Ｆが家屋の壁面Ｗ２から離れて倒れようとすると、家具Ｆの頂面Ｆ１に接する移動片４はアーム部材２の先端方向へ引っ張られて移動するから、これに伴って移動片４はガイド面２ａの傾斜に従ってさらに下降させられて、ガイド面２ａと家具Ｆの頂面Ｆ１の間に楔のように進入して頂面Ｆ１に圧接し、家具Ｆを上方から抑える。これによって、家具Ｆの転倒が確実に防止される。
【００１８】
このような構造によれば、転倒防止具１を設置する際にはアーム部材２先端の移動片４を家具Ｆの頂面Ｆ１に軽く当接させておけば良く、家具Ｆにビス等で固定しておく必要はない。したがって家具Ｆが傷付くという問題を避けることができる。また、家具Ｆのメンテナンスや家具Ｆが置かれた床の掃除等が必要な場合には、移動片４をアーム部材２の基端方向へ移動させればこれが上昇して家具Ｆの頂面Ｆ１から離れるから、この後、アーム部材２を家具Ｆ上から離間するように退避旋回させておけば、家具Ｆの移動を容易に行うことができる。なお、移動片４下面のゴム板４３は設けたほうが良いが、必ずしも必要なものではない。
【００１９】
隣接する柱Ｐの間隔が長いために左右の転倒防止具１の間隔が家具Ｆの幅よりかなり大きくなってしまう場合には、図７に示すように、家具Ｆの頂面上にその幅よりも長い補助板５２を載せ、補助板５２の両端部に、左右の転倒防止具１のアーム部材２先端に装着された移動片４をその取付孔４２１（図２）に挿入したビスで固定しておく。このようにすると、地震の振動によって家具Ｆが家屋の壁面から離れて倒れようとすると、家具Ｆの頂面Ｆ１に接する補助板５２が左右の転倒防止具１の移動片４の下降に伴ってこれと一体に下降して家具頂面Ｆ１に圧接し、家具Ｆを上方から抑えてその転倒を防止する。なお、家具Ｆの頂面Ｆ１に接する補助板５２の下面に上記ゴム板４３と同様のゴム板を接合しておけば、滑りを生じることなく、より確実に家具Ｆを上方から抑えてその転倒を防止することができる。なお、ゴム板４３に代えて、移動片４や補助板５２の下面に粘着材等を塗布しても良い。さらに、家具頂面に当接させるまでの移動片４の姿勢が変動しても良い場合には、アーム部材２にガイド面２ａを特に設けなくても、リベットピン２３１と穴内周面がガイド面として機能するガイド穴４１１とで移動片４の前下方への移動を案内することができる。
【図面の簡単な説明】
【００２０】
【図１】転倒防止具の全体側面図である。
【図２】転倒防止具の全体平面図である。
【図３】図１のIII−III線に沿った断面図である。
【図４】転倒防止具を壁面コーナ部の柱に固定した状態を示す要部斜視図である。
【図５】転倒防止具を壁面内の柱に固定した状態を示す要部斜視図である。
【図６】左右の転倒防止具を家具にセットした例を示す斜視図である。
【図７】左右の転倒防止具を家具にセットした他の例を示す斜視図である。
【符号の説明】
【００２１】
１…転倒防止具、２…アーム部材、２ａ…ガイド面、２１…基端部、２３…先端部、２３１…リベットピン、３…支持部材、４…移動片。
【図１】
2007044110.tif 000003
【図２】
2007044110.tif 000004
【図３】
2007044110.tif 000005
【図４】
2007044110.tif 000006
【図５】
2007044110.tif 000007
【図６】
2007044110.tif 000008
【図７】
2007044110.tif 000009